(57)【要約】【課題】公衆回線に接続制御してファクシミリ通信を行うファクシミリ装置において、表題データをイメージデータに変換することなくテキストデータとして送信することが可能なファクシミリ装置を提供する。【解決手段】本ファクシミリ装置Ｆｔは、公衆回線を介してファクシミリ通信を行うファクシミリ通信手段５と、ファクシミリ送信データを構成する表題データ３ａと実体画像データ３ｂを対応付けて保存している送信データ部３と、この表題データ３ａをイメージデータに変換せずテキストデータとして送信する信号処理部１とを備えている。【選択図】図２
2004180168.tif 000002
【特許請求の範囲】
【請求項１】
公衆回線を介してファクシミリ通信を行うファクシミリ通信手段と、ファクシミリ送信データを構成する表題データと実体画像データを対応付けて保存している送信データ部と、この表題データをテキストデータ形式で送信する信号処理部とを備えている、ファクシミリ装置。
【請求項２】
請求項１において、
上記信号処理部は、ファクシミリ通信手順における非標準機能信号を用いて上記表題データをテキストデータ形式で送出することを特徴とする、ファクシミリ装置。
【請求項３】
請求項１または２において、
上記ファクシミリ通信手段は、インターネットファクシミリ通信部をさらに有しており、
上記信号処理部は、上記表題データを電子メールのヘッダ／本文部に設定して送信することを特徴とする、ファクシミリ装置。
【請求項４】
公衆回線を介してファクシミリ通信を行うファクシミリ通信手段と、請求項１または２に記載のファクシミリ装置から受信した、表題データと実体画像データとを含んだ受信データを、表題データと実体画像データとを対応付けて受信データ部に保存する信号処理部とを備えている、ファクシミリ装置。
【請求項５】
請求項４において、
上記信号処理部は、ファクシミリ通信手順における非標準機能信号から表題データを取り出すようにしている、ファクシミリ装置。
【請求項６】
請求項４または５において、
上記ファクシミリ通信手段は、インターネットファクシミリ通信部をさらに有しており、
上記信号処理部は、電子メールのヘッダ／本文部から表題データを取り出すようにしている、ファクシミリ装置。
【発明の詳細な説明】
【０００１】
【発明の属する技術分野】
本発明は、ファクシミリ送受信データを構成する表題部分のデータと実体部分のデータとを対応付けて装置内に保存するファクシミリ装置の改良に関するものである。
【０００２】
【従来の技術】
インターネットファクシミリ装置では、ファクシミリ送信データを構成する表題部分は電子メールのヘッダ部（Ｓｕｂｊｅｃｔ部）や本文部に、実体画像部分は電子メールの添付ファイルとしてセットして、相手先装置に送信するようにしている。
【０００３】
そのため、パソコンからまたはファクシミリ装置本体から直接、入力された送信用データは、テキストデータで構成されている表題データと、イメージデータで構成されている実体画像データとを対応付けて別々に保存された後、送信される。
【０００４】
また、インターネットファクシミリ装置に電子メールで送られてきたファクシミリ受信データも、表題データと実体画像データとを対応付けて別々に蓄積される。
【０００５】
ところが、インターネットファクシミリ装置であっても、ファクシミリ通信するためのＮＣＵ（回線接続部）で電話回線等の公衆回線に接続して、Ｇ３規格等のファクシミリ装置に対してファクシミリ送信する場合、保存された表題データはテキストデータからイメージデータに変換しているため、イメージデータをそのまま送信するものに比べ時間を要していた。
【０００６】
また、受信側で表題データのテキストデータを得るためにはＯＣＲ処理を行う必要がある。
【０００７】
ファクシミリ通信でテキストデータを送信する方法として、特許文献１に記載の通信端末装置のように、非標準機能識別信号（ＮＳＦ）の空きビットに製造シリアルＮＯ．などのテキストデータを定義して送出する方法がある。
【０００８】
【特許文献１】
特開２００２−２３２６２７号公報
【０００９】
【発明が解決しようとする課題】
本発明は、公衆回線へ接続制御してファクシミリ通信を行うファクシミリ装置において、表題データをイメージデータに変換することなくテキストデータとして送信することが可能なファクシミリ装置を提供することにある。
【００１０】
なお、上記の説明からも理解できるように、本発明はインターネットファクシミリ装置において公衆回線に接続制御してファクシミリ通信を行う場合の処理効率を高めることを目的としているが、そればかりではなくＧ３規格等のファクシミリ装置においても適用可能とすることも主たる目的に含まれる。
【００１１】
【課題を解決するための手段】
上記目的を達成するために、請求項１に記載のファクシミリ装置は、公衆回線を介してファクシミリ通信を行うファクシミリ通信手段と、ファクシミリ送信データを構成する表題データと実体画像データを対応付けて保存している送信データ部と、この表題データをテキストデータ形式で送信する信号処理部とを備えている。
【００１２】
すなわち、装置内にテキストデータとして保存された表題データは、イメージデータへの変換処理を必要としないので、送信ジョブを短時間で処理することができるとともに、送信するイメージデータ量を全体として少なくすることができる。
【００１３】
請求項２では、ファクシミリ通信手順における非標準機能信号を用いて表題データをテキストデータ形式で送出することを特徴とする。すなわち、表題データはファクシミリ通信の伝送シーケンスにおける信号に組み込まれて、相手先に送出される。
【００１４】
請求項３では、ファクシミリ通信手段はインターネットファクシミリ通信部をさらに有しており、信号処理部が表題データを電子メールのヘッダ／本文部に設定して、インターネットファクシミリ通信部を介して送信するようにしている。
【００１５】
請求項４では、公衆回線を介してファクシミリ通信を行うファクシミリ通信手段と、請求項１または２に記載のファクシミリ装置から受信した、表題データと実体画像データとを含んだ受信データを、表題データと実体画像データとを対応付けて受信データ部に保存する信号処理部とを備えている。
【００１６】
請求項５では、ファクシミリ通信手順における非標準機能信号から表題データを取り出すようにしている。
【００１７】
請求項６では、ファクシミリ通信手段はインターネットファクシミリ通信部をさらに有しており、信号処理部が、インターネットファクシミリ通信部を介して受信した電子メールのヘッダ／本文部から表題データを取り出すようにしている。
【００１８】
【発明の実施の形態】
以下に、本発明の実施の形態について、添付図面とともに説明する。
【００１９】
図１は、本発明のファクシミリ装置を含んだファクシミリ送受信システムの一例を示すシステム系統図である。
【００２０】
ファクシミリ装置Ｆｔは、公衆回線Ｎ１に接続して他のファクシミリ装置Ｆとファクシミリデータの送受信が可能であり、かつ、ローカルエリアネットワーク（ＬＡＮ）Ｌに接続したルータＲを介してインターネットＮ２に接続して、インターネットファクシミリ装置Ｆｒとも送受信が可能となっている。
【００２１】
ファクシミリ装置Ｆとの間で送受信する場合は、公衆回線Ｎ１に接続した後、Ｇ３規格のファクシミリ通信手順を実行し、その後、画データの送受を行う。また電子メールを使用する場合は、メールサーバＳを介して、ファクシミリ装置Ｆｒとの間でファクシミリデータの送受を行う。
【００２２】
図２は、本発明の一例であるファクシミリ装置Ｆｔの要部構成を示すブロック図である。
【００２３】
このファクシミリ装置Ｆｔは、ＣＰＵ等で構成され各種信号処理を行う信号処理部１、ファクシミリ送信データを入力する入力手段２、ファクシミリ送信データを保存した送信データ部３、ファクシミリ受信データを格納する受信データ部４、相手先のファクシミリ装置と送受信を行うためのファクシミリ通信手段５を少なくとも含んで構成される。ここで、ファクシミリ通信手段５は、公衆回線Ｎ１を介してＧ３ファクシミリ通信を行うＧ３ファクシミリ通信部５ａと、インターネットファクシミリ通信を行うためのインターネットファクシミリ通信部５ｂとを含んでいる。
【００２４】
送信データ部３には、テキストデータで構成されている表題データ３ａと、イメージデータとして保存されている実体画像データ３ｂが含まれており、これらのデータ３ａ、３ｂは外部接続されたパソコンなどや原稿読取部などの入力手段２を介して入力され、表題データ３ａと実体画像データ３ｂが対応付けて保存される。
【００２５】
保存された表題データ３ａと実体画像データ３ｂの一例を図３に示している。図中、符号Ａは表題データ３ａと実体画像データ３ｂとを対応付けたテーブルを示している。
【００２６】
テーブルＡ中には、実体画像データの居場所を示すファイル名Ｂと、表題データ３ａ（件名データとコメントデータ）とが関連付けて保存されている。
【００２７】
保存されたこれらのデータ３ａ、３ｂは、送信指示があったときには、相手先がＧ３規格のファクシミリ装置の場合はＧ３ファクシミリ通信部５ａを介して、インターネットファクシミリ装置の場合はインターネットファクシミリ通信部５ｂを介して、相手先装置に送信される。
【００２８】
本発明では、相手先がインターネットファクシミリ装置の場合はもちろん、Ｇ３規格のファクシミリ装置の場合であっても、表題データはテキストデータからイメージデータに変換することなく、ファクシミリ通信手順（伝送シーケンス）における非標準機能信号を利用してテキストデータのままで送信するようにしている。
【００２９】
したがって、相手先がＧ３規格のファクシミリ装置であっても、表題部に関してはイメージデータへの変換処理が不要であるため、送信ジョブを短時間で処理することができる。また、全体として送信イメージデータ量を少なくすることができる。
【００３０】
なお、この例ではインターネットファクシミリ装置を示しているが、インターネットファクシミリ通信部５ｂを含まないＧ３規格のファクシミリ装置であってもよい。このようにすれば、Ｇ３規格のファクシミリ装置の場合であっても、表題部を原稿読取部からイメージデータとして読み取る必要がないため、表題部をイメージとして準備する必要がなく、操作部等の入力手段２から入力させることができる。また、送信する画データも少量にすることができる。
【００３１】
図４（ａ）には、２つのファクシミリ装置間の通信手順を示す伝送シーケンスを示している。図中のＮＳＦは、特定の利用者の要求を識別するための非標準機能識別信号であり、ＮＳＳは、ＮＳＦ信号で示される非標準機能の中から設定される機能を示す非標準機能設定信号である。なお、（ｂ）には（ａ）図中に示された信号略称の和名を示している。
【００３２】
本発明における表題データの送受は、これらの非標準機能信号を利用したものであり、非標準機能識別信号（ＮＳＦ）中には非標準機能を用いて表題データを受信できることを示すビット（受信能力ビット）が割り当てられ、非標準機能設定信号（ＮＳＳ）中には件名やコメントなどの表題データ部が割り当てられている。
【００３３】
図５は、図２で示したファクシミリ装置Ｆｔの送信処理動作を示すフローチャートである。
【００３４】
本装置Ｆｔでファクシミリ送信する方法として、▲１▼公衆回線を用いたＧ３規格等のファクシミリ送信、▲２▼電子メールを用いたインターネットファクシミリ送信、の２種がある。
【００３５】
▲１▼公衆回線を利用する場合は、
利用者が入力した電話番号にもとづきダイヤル発呼すると、相手先が着信するまで待ち状態となり、その後、相手先よりＮＳＦ信号を受信すると、ＮＳＦ信号中の受信能力ビットで受信能力を有しているかどうかを判断する（１０１〜１０４）。
【００３６】
受信能力ビットがオンの場合は、表題データ（件名データ、コメントデータ）３ａをＮＳＳ信号にセットして送出し、その後、実体画像部分の画データ３ｂを送信する（１０４、１０５、１０７）。
【００３７】
受信能力ビットがオフの場合は、件名データ、コメントデータ３ａをイメージに変換した後、これを画データとして送信し、さらに実体画像部分の画データを送信する（１０４、１０６、１０７）。
【００３８】
▲２▼電子メールで送信する場合は、
保存されている件名データ、コメントデータ３ａは、それぞれ電子メールのヘッダ／本文部を構成するＳｕｂｊｅｃｔ、本文にセットされ、対応する実体画像部分の画データ３ｂは添付ファイルとしてセットされ、１つの電子メール文書として送信される（１０１、１０８〜１１０）。
【００３９】
このように、公衆回線を利用する場合は非標準機能信号（ＮＳＦ、ＮＳＳ）を利用して表題部分を送出しているので、相手先に受信能力さえあれば、送信画データを少量にすることができ、かつ送信ジョブを短時間で処理することができる。また、ＮＳＦ信号に受信能力ビットを設けているので、相手先に受信能力がない場合でも従来の送信が可能であり、またインターネットによる電子メール送信も従来どおり可能である。
【００４０】
また、ＮＳＳ信号は必要に応じて複数送信できるので、大量のコメントデータにも対応することができる。
【００４１】
なお、送信側のファクシミリ装置がＧ３規格等のファクシミリ装置（たとえば図１のファクシミリ装置Ｆ）の場合、図５の１０２〜１０７を実行するようにすればよい。
【００４２】
次に、非標準機能信号を利用して表題データを受信する能力を有するインターネットファクシミリ装置Ｆｒ（図１を参照）について、図６〜図８を用いて説明する。
【００４３】
図６は、本発明の一例であるファクシミリ装置Ｆｒの要部構成を示すブロック図である。
【００４４】
このファクシミリ装置Ｆｒは、ＣＰＵ等で構成され各種信号処理を行う信号処理部１１、ファクシミリ送信データを入力する入力手段１２、ファクシミリ送信データを保存した送信データ部１３、ファクシミリ受信データを格納する受信データ部１４、相手先のファクシミリ装置と送受信を行うファクシミリ通信手段１５を少なくとも含んで構成される。ここで、ファクシミリ通信手段１５は、公衆回線Ｎ１を介してＧ３ファクシミリ通信を行うＧ３ファクシミリ通信部１５ａと、インターネットファクシミリ通信を行うためのインターネットファクシミリ通信部１５ｂとを含んでいる。
【００４５】
受信データ部１４には、表題データと実体画像データとを含んだ受信データを、表題データ１４ａと実体画像データ１４ｂとを対応付けて保存する。
【００４６】
表題データ１４ａと実体画像データ１４ｂは、送信データの場合と同様に、図３に示すものと同様のテーブルＣで対応付けられる（図３には受信側の装置として符号をかっこ書きで示す）。
【００４７】
保存されたこれらのデータ１４ａ、１４ｂは、印字指令または転送指令等にもとづき、印字出力されるか、またはパソコン等へ転送される。
【００４８】
図７には、公衆回線Ｎ１を介してデータ受信したときの処理動作フローチャートを示している。
【００４９】
相手先の発呼に対して着呼すると、回線を閉結し、ＮＳＦ信号の受信能力ビットをオンして相手先に送出する（２０１〜２０３）。
【００５０】
次に、相手先よりＮＳＳ信号を受信すると、信号中に件名データ、コメントデータがセットされていれば、これらを取り出して表題データ１４ａとして保存する。セットされていなければ、表題データ１４ａにはダミーデータ等の固定データをセットする（２０５〜２０７）。
【００５１】
そして、次に画データの受信を開始し、すべての画データを受信すれば回線を切断し、受信済みの表題データ１４ａに対応させて、実体画像データの居場所を示すファイル名ＤをテーブルＣにセットするとともに、受信した画データを実体画像データファイルとして保存する（２０８〜２１０、図３を参照）。
【００５２】
図８には、電子メールで受信したときの処理動作フローチャートを示している。
【００５３】
電子メールの受信通知を受けると、メールサーバ（図１の符号Ｓ）に接続して電子メールを取得する（３０１、３０２）。メールサーバＳへの接続を切断した後、電子メールのヘッダ／本文部を構成するＳｕｂｊｅｃｔ、本文を件名データ、コメントデータ１４ａに格納し、電子メールに添付されているファイルを実体画像データ１４ｂとして保存し、テーブルとともに登録する（３０３〜３０６）。
【００５４】
このように、非標準機能信号を利用して表題データを受信するようにしているので、受信側のファクシミリ装置でも効率のよい受信処理を実施することができる。また、電子メールでも受信することができるようにしているので、非標準機能信号で受信した場合でも、電子メールで受信した場合でも、同一の保存方式で格納することができる。
【００５５】
【発明の効果】
以上の説明からも理解できるように、請求項１に記載のファクシミリ装置は、表題データをテキストデータ形式で送信するようにしているので、もともと表題データをテキストデータ形式で保存している場合にはイメージデータに変換する必要がなく、その結果、送信ジョブを短時間で処理することができるとともに、送信イメージデータ量を少なくすることができる。
【００５６】
請求項２では、テキストデータとして送信するために、ファクシミリ通信手順における非標準機能信号を利用しているので、従来の通信方式をそのまま利用してテキストデータの送信が実現できる。また、ＮＳＳ信号は必要に応じて複数送信できるので、大量のコメントデータにも対応することができる。
【００５７】
請求項３では、さらに、表題データを電子メールのヘッダ／本文部に設定して送信することができるので、送受信装置双方ともがインターネットファクシミリ装置の場合にも対応することができる。
【００５８】
請求項４、５では、請求項１に記載のファクシミリ装置からのデータを受信する能力を有しているので、双方で表題データをテキストデータとして取り扱う方式をとれば、双方のファクシミリ装置で効率のよい送受信処理を実施することができる。
【００５９】
請求項６では、電子メールでも受信することができるようにしているので、非標準機能信号で受信した場合でも、電子メールで受信した場合でも、同一の保存方式でデータを格納することができる。
【図面の簡単な説明】
【図１】本発明のファクシミリ装置を含んだファクシミリ送受信システムの一例を示すシステム系統図である。
【図２】本発明のファクシミリ装置Ｆｔ（送信側）の一例の要部構成を示すブロック図である。
【図３】表題データと実体画像データとの関係を示す図である（送信データ、受信データの説明兼用）。
【図４】（ａ）はファクシミリ装置間の通信手順を示す伝送シーケンスを示す図であり、（ｂ）は（ａ）図中に示された信号略称の和名を記述した図である。
【図５】本発明のファクシミリ装置Ｆｔの送信処理動作を示すフローチャートである。
【図６】本発明のファクシミリ装置Ｆｒ（受信側）の一例の要部構成を示すブロック図である。
【図７】本発明のファクシミリ装置Ｆｒの公衆回線を介してデータ受信したときの処理動作フローチャートを示している。
【図８】本発明のファクシミリ装置Ｆｒの電子メールを受信したときの処理動作フローチャートである。
【符号の説明】
Ｆｔ      ファクシミリ装置（送信側説明用）
Ｆｒ      ファクシミリ装置（受信側説明用）
Ｆ        Ｇ３規格のファクシミリ装置
Ｎ１      公衆回線
Ｎ２      インターネット
Ｌ        ＬＡＮ
１、１１    信号処理部
３、１３    送信データ部
３ａ        表題データ
３ｂ        実体画像データ
４、１４    受信データ部
１４ａ      表題データ
１４ｂ      実体画像データ
５、１５    ファクシミリ通信手段
５ａ、１５ａ    Ｇ３ファクシミリ通信部
５ｂ、１５ｂ    インターネットファクシミリ通信部
【図１】
2004180168.tif 000003
【図２】
2004180168.tif 000004
【図３】
2004180168.tif 000005
【図４】
2004180168.tif 000006
【図５】
2004180168.tif 000007
【図６】
2004180168.tif 000008
【図７】
2004180168.tif 000009
【図８】
2004180168.tif 000010